(57)【特許請求の範囲】
【請求項１】
断熱材によって囲まれた第１居住区画と、断熱材で囲まれていないか又は前記断熱材よりも性能の低い断熱材で囲まれた第２居住区画とが隣接して設けられた住宅であって、
前記第１居住区画の空気を外部に排出するための排気手段と、
前記第２居住区画に外気を供給して前記第２居住区画内を正圧状態とするための給気手段と、
前記第１居住区画と前記第２居住区画とを通気可能に連通させる間仕切り手段と、
現在が冬季であるか否かを判断する判断部と、
前記判断部によって現在が冬季であると判断された場合に、前記第２居住区画に前記外気が供給されるように前記給気手段を運転する制御部とを含むことを特徴とする住宅。
【請求項２】
前記給気手段は、床下空間の空気を前記第２居住区画に供給するものである請求項１記載の住宅。
【請求項３】
前記判断部によって現在が冬季以外であると判断された場合に、前記制御部は、前記第１居住区画に外気を供給して前記第１居住区画内を正圧状態とするための給気手段を運転する請求項２記載の住宅。
【請求項４】
前記第１居住区画は、既存の住宅構成材に、リフォームによって断熱材が増し貼りされている請求項１乃至３のいずれかに記載の住宅。
【請求項５】
断熱材によって囲まれた第１居住区画と、断熱材で囲まれていないか又は前記断熱材よりも性能の低い断熱材で囲まれた第２居住区画とが通気可能な間仕切り手段を介して隣接して設けられた住宅の換気方法であって、
現在が冬季であるか否かを判断するステップを含み、
現在が冬季であると判断された場合に、
前記第２居住区画に外気を供給し、前記第２居住区画内を正圧状態にするステップと、
前記正圧状態の第２居住区画から前記間仕切り手段を介して前記第１居住区画に入り込んだ空気を外部に排出するステップとを実施することを特徴とする住宅の換気方法。
【発明の詳細な説明】
【技術分野】
【０００１】
本発明は、結露を防ぐことができる住宅及びその換気方法に関する。
【背景技術】
【０００２】
既存の住宅構成材に、例えば、パネル状に形成された断熱材を増し貼りするリフォームが提案されている（例えば、下記特許文献１参照）。このようなリフォームは、住宅を建て替えることなく、その断熱性を容易に高めることができる。
【先行技術文献】
【特許文献】
【０００３】
【特許文献１】特開２０１５−０７１９４１号公報
【発明の概要】
【発明が解決しようとする課題】
【０００４】
ところで、住宅の外壁ライン全てに断熱材を増し貼りすると、リフォームコストが増大するという問題がある。このため、近年では、住宅内の居住区画のうち、例えば、リビング、台所、浴室、又は、トイレ等を含む主要な生活動線上にある一部の居住区画のみに、断熱材を増設する区画断熱リフォームが提案されている。
【０００５】
しかしながら、区画断熱リフォームには、次のような問題がある。例えば、冬季において、断熱材が増し貼りされた第１居住区画は、生活動線上にあるため、非生活動線内の第２居住区画に比べて高温かつ高湿となりやすい。他方、断熱材が増し貼りされていない第２居住区画は、第１居住区画に比べて低温かつ低湿となりやすい。従って、第１居住空間の高湿な空気が、低温の第２居住区画に流入すると、第２居住空間内で結露が発生しやすいという問題があった。
【０００６】
本発明は、以上のような実状に鑑み案出されたもので、居住区画の断熱性を高めつつ、結露を防ぐことができる住宅及びその換気方法を提供することを主たる目的としている。
【課題を解決するための手段】
【０００７】
本発明は、断熱材によって囲まれた第１居住区画と、断熱材で囲まれていないか又は前記断熱材よりも性能の低い断熱材で囲まれた第２居住区画とが隣接して設けられた住宅であって、前記第１居住区画の空気を外部に排出するための排気手段と、前記第２居住区画に外気を供給して前記第２居住区画内を正圧状態とするための給気手段と、前記第１居住区画と前記第２居住区画とを通気可能に連通させる間仕切り手段と、現在が冬季であるか否かを判断する判断部と、前記判断部によって現在が冬季であると判断された場合に、前記第２居住区画に前記外気が供給されるように前記給気手段を運転する制御部とを含むことを特徴とする。
【０００８】
本発明に係る前記住宅において、前記給気手段は、床下空間の空気を前記第２居住区画に供給するものであるのが望ましい。
【００１０】
本発明に係る前記住宅において、前記判断部によって現在が冬季以外であると判断された場合に、前記制御部は、前記第１居住区画に外気を供給して前記第１居住区画内を正圧状態とするための給気手段を運転するのが望ましい。
【００１１】
本発明に係る前記住宅において、前記第１居住区画は、既存の住宅構成材に、リフォームによって断熱材が増し貼りされているのが望ましい。
【００１２】
本発明は、断熱材によって囲まれた第１居住区画と、断熱材で囲まれていないか又は前記断熱材よりも性能の低い断熱材で囲まれた第２居住区画とが通気可能な間仕切り手段を介して隣接して設けられた住宅の換気方法であって、現在が冬季であるか否かを判断するステップを含み、現在が冬季であると判断された場合に、前記第２居住区画に外気を供給し、前記第２居住区画内を正圧状態にするステップと、前記正圧状態の第２居住区画から前記間仕切り手段を介して前記第１居住区画に入り込んだ空気を外部に排出するステップとを含むことを特徴とする。
【発明の効果】
【００１３】
本願の第１の発明の住宅は、断熱材によって囲まれた第１居住区画と、断熱材で囲まれていないか又は前記断熱材よりも性能の低い断熱材で囲まれた第２居住区画とが隣接して設けられている。このような住宅は、断熱材のコストを低減することができる。
【００１４】
また、上記住宅は、第１居住区画の空気を外部に排出するための排気手段と、第２居住区画に外気を供給して第２居住区画内を正圧状態とするための給気手段と、第１居住区画と第２居住区画とを通気可能に連通させる間仕切り手段とを含んでいる。このような住宅は、第２居住区画内を正圧状態にすることが可能になるため、例えば冬季において、相対的に高湿となりやすい第１居住区画の空気が、相対的に低温となりやすい第２居住区画に供給されるのを防ぐことができる。従って、本願の第１の発明の住宅は、居住区画の断熱性を高めつつ、結露の発生を防ぐことができる。
【００１５】
本願の第２の発明の住宅の換気方法は、断熱材によって囲まれた第１居住区画と、断熱材で囲まれていないか又は断熱材よりも性能の低い断熱材で囲まれた第２居住区画とが通気可能な間仕切り手段を介して隣接して設けられた住宅に用いられる。このような住宅は、断熱材のコストを低減することができる。
【００１６】
上記住宅の換気方法は、第２居住区画に外気を供給し、第２居住区画内を正圧状態にするステップと、正圧状態の第２居住区画から間仕切り手段を介して、第１居住区画に入り込んだ空気を外部に排出するステップとを含んでいる。このような住宅の換気方法は、第２居住区画内を正圧にすることが可能になるため、例えば冬季において、相対的に高湿となりやすい第１居住区画の空気が、相対的に低温となりやすい第２居住区画に供給されるのを防ぐことができる。従って、本願の第２の発明の住宅の換気方法は、居住区画の断熱性を高めつつ、結露の発生を防ぐことができる。
【図面の簡単な説明】
【００１７】
【図１】本実施形態の住宅の一例を示す断面図である。
【図２】図１の住宅の断面図である。
【図３】断熱材の一例を示す斜視図である。
【図４】本実施形態の換気方法を説明する住宅の断面図である。
【図５】本発明の他の実施形態の住宅の一例を示す断面図である。
【図６】本発明の他の実施形態の換気方法を説明する住宅の断面図である。
【図７】判断部及び制御部のブロック図である。
【図８】本発明のさらに他の実施形態の換気方法の手順の一例を示すフローチャートである。
【発明を実施するための形態】
【００１８】
以下、本発明の実施の一形態が図面に基づき説明される。
図１は、本実施形態の住宅の一例を示す断面図である。図２は、図１の住宅の断面図である。本実施形態の住宅Ｂｒは、床下空間２と、複数の居住区画３とを含んで構成されている。なお、本実施形態の住宅Ｂｒは、平屋である場合が例示されるが、２階建て以上の住宅であっても良い。
【００１９】
床下空間２は、基礎５と地面６と床７とで囲まれた非居住区画である。床下空間２には、新鮮な外気Ａｏを導入する取入口８が設けられている。
【００２０】
取入口８から供給された外気Ａｏは、床下空間２の地面６を介して、地冷熱Ｈと熱交換される。これにより、床下空間２の空気（以下、単に「床下空気」ということがある）Ａｆは、冬季には外気よりも高く、夏季には外気よりも低い温度を持つことができる。床下空間２の地面６は、例えば、土間コンクリート等で仕上げられている。また、本実施形態の床７の下面には、断熱材９が配置されている。
【００２１】
複数の居住区画３は、床下空間２の上方に設けられている。本実施形態の居住区画３は、例えば、リビング１１ａ、台所１１ｂ、廊下１１ｃ、洗面室１１ｅ、浴室１１ｆ、トイレ１１ｇ及び和室１２ａを含んで構成されている。各居住区画３は、例えば、外壁パネル１５、間仕切りパネル１６、扉（襖を含む）１７、窓１８、天井１９、又は、床７等によって区分されている。
【００２２】
本実施形態の住宅Ｂｒは、断熱材２１によって囲まれた第１居住区画３Ａと、断熱材２１で囲まれていない第２居住区画３Ｂとが隣接して設けられている。
【００２３】
第１居住区画３Ａ及び第２居住区画３Ｂは、上記居住区画３（例えば、リビング１１ａ等）のうち、少なくとも一つの居住区画３から構成されている。従って、本実施形態の住宅Ｂｒは、一部の居住区画３（即ち、第１居住区画３Ａ）のみに断熱材２１が増設される、所謂、区画断熱リフォームが施工されている。このような区画断熱リフォームは、例えば、全ての居住区画３を断熱材２１で囲む場合に比べて、断熱材２１の使用量を抑えることができる。従って、本実施形態の住宅Ｂｒは、断熱材２１のコストを低減することができる。
【００２４】
ここで、「断熱材によって囲まれた」とは、第１居住区画３Ａの周りに、断熱材２１が実質的に連続して配置されていることを意味している。なお、断熱材２１は、第１居住区画３Ａに設けられる窓１８や扉１７等の開口部を除いて配置されている。従って、「断熱材によって囲まれた」には、第１居住区画３Ａの周りに、断熱材２１が一部途切れて配置された態様を含んでいる。
【００２５】
本実施形態の第１居住区画３Ａには、例えば、既存の住宅構成材２２に、断熱材２１が増し貼りされる。断熱材２１が増し貼りされる住宅構成材２２としては、例えば、第１居住区画３Ａの外壁パネル１５、間仕切りパネル１６、天井１９及び床７が含まれている。
【００２６】
図３は、断熱材２１の一例を示す斜視図である。本実施形態の断熱材２１は、例えば、正面視矩形の板状に形成されている。本実施形態の断熱材２１の一方の面２１ａは、住宅構成材２２（例えば、第１居住区画３Ａの外壁パネル１５、間仕切りパネル１６、天井１９又は床７）への貼り付け面である。断熱材２１の他方の面２１ｂは、正面視略矩形の板材２３が固定されている。このような板材２３は、断熱材２１が既存の住宅構成材２２に貼り付けられるのと同時に、新たな壁面、床面又は天井面を形成することができるため、リフォームの効率を高めることができる。
【００２７】
断熱材２１及び板材２３には、種々のものが採用されうる。断熱材２１の一例としては、例えば、ウレタンフォーム、ポリスチレンフォーム、又は、フェノールホーム等が採用されうる。板材２３の一例としては、例えば、石膏ボード、又は、構造用合板等が採用されうる。また、既存の住宅構成材２２への断熱材２１の固着には、例えば、ビス等の固着具や、接着剤等が用いられる。なお、断熱材２１は、板状のものに限定されるわけではなく、例えば気泡状の断熱材を、既存の住宅構成材２２に直接吹き付けて形成されるものでもよい。
【００２８】
図２に示されるように、本実施形態の第１居住区画３Ａは、例えば、リビング１１ａ、台所１１ｂ、廊下１１ｃ、洗面室１１ｅ、浴室１１ｆ、又は、トイレ１１ｇ等を含む主要な生活動線上にある居住区画３を含んで構成されている。
【００２９】
第１居住区画３Ａの外周を囲む断熱材２１は、リビング１１ａ、台所１１ｂ、洗面室１１ｅ、浴室１１ｆ及びトイレ１１ｇを区分する外壁パネル１５に、それぞれ貼り付けられている。さらに、断熱材２１は、リビング１１ａと玄関１３との間、廊下１１ｃと玄関１３との間、廊下１１ｃと和室１２ａとの間、及び、トイレ１１ｇと和室１２ａとの間を区分する間仕切りパネル１６に貼り付けられている。これにより、断熱材２１は、平面視において、第１居住区画３Ａ（本実施形態では、リビング１１ａ、台所１１ｂ、廊下１１ｃ、洗面室１１ｅ、浴室１１ｆ、及び、トイレ１１ｇ）の周りを囲むことができる。また、図１に示されるように、断熱材２１は、第１居住区画３Ａを構成する各居住区画３の天井１９及び床７にそれぞれ貼り付けられている。これにより、断熱材２１は、第１居住区画３Ａを囲んで配置される。
【００３０】
このような第１居住区画３Ａは、生活動線上にある各居住区画３の温度差を最小限に抑えることができる。従って、本実施形態の住宅Ｂｒは、例えば、浴室やトイレ等において、ヒートショックや、屋内熱中症の発生を効果的に防ぐことができる。第１居住区画３Ａに配置される窓１８には、ペアガラスが採用されるのが望ましい。これにより、第１居住区画３Ａの断熱性を、一層高めることができる。
【００３１】
上述したように、第２居住区画３Ｂは、断熱材２１で囲まれていない（即ち、断熱材２１が増し貼りされていない）居住区画である。本実施形態の第２居住区画３Ｂは、和室１２ａを含む非生活動線内の居住区画３を含んで構成されている。第２居住区画３Ｂは、第１居住区画３Ａに比べて、居住者の滞在時間が少ない。このため、第２居住区画３Ｂに断熱材２１が増し貼りされていなくても、住宅Ｂｒの快適性が維持される。
【００３２】
ところで、上記のような区画断熱リフォームが施工された住宅Ｂｒでは、冬季において、生活動線上にある第１居住区画３Ａが、非生活動線内の第２居住区画３Ｂに比べて高温かつ高湿となりやすい。他方、断熱材２１が増し貼りされていない第２居住区画３Ｂは、断熱材２１が増し貼りされた第１居住区画３Ａに比べて、低温かつ低湿となりやすい。従って、第１居住区画３Ａの高湿な空気Ａｒが、低温の第２居住区画３Ｂに流入すると、第２居住区画３Ｂ内で結露が発生しやすいという問題がある。
【００３３】
このような結露を防ぐために、本実施形態の住宅Ｂｒには、排気手段２５と、給気手段２６と、間仕切り手段２７とが設けられている。
【００３４】
排気手段２５は、第１居住区画３Ａの空気Ａｒを外部に排出するためのものである。本実施形態の排気手段２５は、第１居住区画３Ａに設けられた外壁パネル１５を開口した排気孔２５ａと、排気孔２５ａを開閉する開閉手段２５ｂとを含んで構成されている。このような排気手段２５は、第１居住区画３Ａに入り込んだ空気Ａｒを外部に排出することができる。本実施形態の排気孔２５ａは、第１居住区画３Ａを構成するリビング１１ａの外壁パネル１５に設けられている。このような排気孔２５ａは、居住者の滞在時間が最も大きいリビング１１ａの換気を効果的に行うことができる。
【００３５】
給気手段２６（以下、「第２給気手段２６Ｂ」ということがある。）は、第２居住区画３Ｂに外気Ａｏを供給して、第２居住区画３Ｂ内を正圧状態とするためのものである。本実施形態の第２給気手段２６Ｂは、第２空気流路３１ｂ、第２取出口３２ｂ、第２吹出口３３ｂ、及び、第２送風手段３４ｂを含んで構成されている。
【００３６】
第２空気流路３１ｂは、間仕切りパネル１６の内部を上下にのびている。本実施形態の第２空気流路３１ｂは、和室１２ａと玄関１３との間に配置された間仕切りパネル１６に形成されているが、このような態様に限定されるわけではない。
【００３７】
第２取出口３２ｂは、第２空気流路３１ｂの下方に設けられ、第２空気流路３１ｂと床下空間２との間を連通している。第２吹出口３３ｂは、第２空気流路３１ｂの上方に設けられ、第２空気流路３１ｂと第２居住区画３Ｂ（本実施形態では、和室１２ａ）との間を連通している。このような第２取出口３２ｂ及び第２吹出口３３ｂは、第２空気流路３１ｂを介して、床下空間２と第２居住区画３Ｂとを連通させることができる。
【００３８】
第２送風手段３４ｂは、例えば、第２取出口３２ｂに設けられている。本実施形態の第２送風手段３４ｂは、床下空間２側から第２空気流路３１ｂ側に送風するファンとして構成されている。なお、第２送風手段３４ｂの給気量は、例えば、住宅Ｂｒに必要な換気回数（例えば、例えば、０．５回／ｈ）に基づいて設定されるのが望ましい。
【００３９】
このような第２給気手段２６Ｂは、第２送風手段３４ｂが運転されることにより、床下空間２を負圧にして、床下空気Ａｆ（即ち、床下空間２に供給された外気Ａｏ）を、第２空気流路３１ｂ及び第２吹出口３３ｂを介して、第２居住区画３Ｂ（本実施形態では、和室１２ａ）に供給することができる。これにより、第２給気手段２６Ｂは、第２居住区画３Ｂ内を正圧状態とすることができる。
【００４０】
間仕切り手段２７は、第１居住区画３Ａと第２居住区画３Ｂとを通気可能に連通させるためのものである。本実施形態の間仕切り手段２７は、第１居住区画３Ａと、第２居住区画３Ｂとの間に設けられる間仕切りパネル１６において、第１居住区画３Ａと、第２居住区画３Ｂとを連通する貫通口２７ａとして構成されている。このような貫通口２７ａは、第２居住区画３Ｂの空気Ａｒを、第１居住区画３Ａに入り込ませることができるため、第１居住区画３Ａと第２居住区画３Ｂとを通気可能に連通させることができる。本実施形態の間仕切り手段２７は、第１居住区画３Ａの廊下１１ｃと、第２居住区画３Ｂの和室１２ａとの間に配置された間仕切りパネル１６に形成されているが、このような態様に限定されるわけではない。尚、間仕切りパネル１６及び貫通口２７ａに代えて、建具の周囲の隙間やアンダーカットを利用することもできる。
【００４１】
次に、本実施形態の住宅Ｂｒの換気方法（以下、単に、「換気方法」ということがある。）について説明する。図４は、本実施形態の換気方法を説明する住宅Ｂｒの断面図である。本実施形態の換気方法では、第１ステップＳ１と、第２ステップＳ２とが実施される。この実施形態では、第１ステップＳ１及び第２ステップＳ２が同時に実施されているが、別々に実施されてもよい。
【００４２】
図１及び図４に示されるように、第１ステップＳ１では、先ず、第２給気手段２６Ｂの第２送風手段３４ｂが運転される。これにより、第１ステップＳ１では、第２居住区画３Ｂ（本実施形態では、和室１２ａ）に、床下空気Ａｆ（即ち、床下空間２に供給された外気Ａｏ）が供給され、第２居住区画３Ｂを正圧状態にすることができる。また、第２居住区画３Ｂと第１居住区画３Ａとは、間仕切り手段２７を介して通気可能に連通されている。このため、正圧状態となった第２居住区画３Ｂ内の空気Ａｒを、第１居住区画３Ａに入り込ませることができる。
【００４３】
第２ステップＳ２は、排気手段２５の開閉手段２５ｂ（図１に示す）が開かれる。これにより、第２居住区画３Ｂから第１居住区画３Ａ（本実施形態では、リビング１１ａ、台所１１ｂ及び廊下１１ｃ）に入り込んだ空気Ａｒを、排気手段２５を介して、外部に排出することができる。なお、開閉手段２５ｂが予め開いている場合、第２ステップＳ２の操作は省略される。また、第２居住区画３Ｂから他の居住区画３（本実施形態では、洗面室１１ｅ、浴室１１ｆ及びトイレ１１ｇ）に入り込んだ空気Ａｒは、各居住区画３に形成された隙間等（図示省略）を介して、外部に排出される。
【００４４】
このように、本実施形態の住宅Ｂｒ及び換気方法は、居住区画３（本実施形態では、第２居住区画３Ｂ）内に外気Ａｏ（床下空気Ａｆ）を強制給気し、かつ、居住区画３（本実施形態では、第１居住区画３Ａ）内の空気Ａｒを自然排気する第２種換気として、住宅Ｂｒを効果的に換気することができる。なお、第２種換気に限定されるわけではない。
【００４５】
さらに、本実施形態の住宅Ｂｒ及び換気方法は、第２居住区画３Ｂ（本実施形態では、和室１２ａ）内を正圧状態にすることが可能になるため、冬季において、相対的に高湿となりやすい第１居住区画３Ａの空気Ａｒが、相対的に低温となりやすい第２居住区画３Ｂに供給されるのを防ぐことができる。従って、本実施形態の住宅Ｂｒ及び換気方法は、第１居住区画３Ａの断熱性を高めつつ、第２居住区画３Ｂの結露の発生を防ぐことができる。
【００４６】
本実施形態の第２給気手段２６Ｂは、冬季において外気Ａｏよりも高い温度を持つ床下空気Ａｆを、低温となりやすい第２居住区画３Ｂに供給している。このため、第２給気手段２６Ｂは、断熱材２１で囲まれていない第２居住区画３Ｂの温度低下を防ぐことができるため、第２居住区画３Ｂの結露を効果的に防ぐことができる。さらに、外気Ａｏよりも温度が高い床下空気Ａｆは、第２居住区画３Ｂを介して、第１居住区画３Ａに供給されるため、暖房効率を高めることができる。
【００４７】
本実施形態の第２居住区画３Ｂは、断熱材２１で囲まれていない居住区画である場合が例示されたが、これに限定されるわけではない。第２居住区画３Ｂは、例えば、第１居住区画３Ａを囲む断熱材２１よりも性能の低い断熱材（図示省略）で囲まれてもよい。このような第２居住区画３Ｂは、断熱材２１のコストを低減しつつ、住宅Ｂｒ全体の断熱性を高めることができる。
【００４８】
ところで、冬季以外（例えば、夏季）において、生活動線上にない第２居住区画３Ｂは、生活動線上にある第１居住区画３Ａと比べて、冷房運転が実施される時間が少ない。このため、第２居住区画３Ｂは、第１居住区画３Ａに比べて高温になりやすい。従って、第２居住区画３Ｂの高温の空気Ａｒが、冷房されている第１居住区画３Ａに流入されると、第１居住区画３Ａの冷房効率が低下しやすい。また、第２居住区画３Ｂの湿度が高い場合には、第１居住区画３Ａで結露が発生しやすいという問題もある。
【００４９】
このような観点より、本実施形態の換気方法では、冬季に限定して、外気Ａｏ（床下空気Ａｆ）が第２居住区画３Ｂに供給されるのが望ましい。これにより、冬季以外（例えば、夏季）において、高温の第２居住区画３Ｂの高温の空気Ａｒが、冷房されている第１居住区画３Ａに積極的に流入されるのを防ぐことができる。従って、第１居住区画３Ａの冷房効率の低下や、第１居住区画３Ａで結露の発生を抑制することができる。
【００５０】
さらに、冬季以外（例えば、夏季）では、第１居住区画３Ａ（この実施形態では、リビング１１ａ）に、外気Ａｏ（床下空気Ａｆ）が供給されるのが望ましい。これにより、第１居住区画３Ａ内を正圧状態にすることが可能になるため、第２居住区画３Ｂの高温の空気が、第１居住区画３Ａに供給されるのを効果的に防ぐことができる。図５は、本発明の他の実施形態の住宅Ｂｒの一例を示す断面図である。なお、この実施形態において、これまでの実施形態と同一の構成については、同一の符号を付し、説明を省略することがある。
【００５１】
この実施形態では、第１居住区画３Ａに外気Ａｏ（床下空気Ａｆ）を供給して、第１居住区画３Ａ内を正圧状態とするための給気手段２６（以下、「第１給気手段２６Ａ」ということがある。）が設けられている。この実施形態の第１給気手段２６Ａは、第１空気流路３１ａ、第１取出口３２ａ、第１吹出口３３ａ、及び、第１送風手段３４ａを含んで構成されている。
【００５２】
第１空気流路３１ａは、第２空気流路３１ｂと同様に、間仕切りパネル１６の内部を上下にのびている。この実施形態の第１空気流路３１ａは、リビング１１ａと玄関１３との間に配置された間仕切りパネル１６に形成されているが、このような態様に限定されるわけではない。
【００５３】
第１取出口３２ａは、第１空気流路３１ａと床下空間２とを連通している。第１吹出口３３ａは、第１空気流路３１ａと第１居住区画３Ａ（この実施形態では、リビング１１ａ）とを連通している。このような第１取出口３２ａ及び第１吹出口３３ａは、第１空気流路３１ａを介して、床下空間２と第１居住区画３Ａとを連通させることができる。
【００５４】
第１送風手段３４ａは、第１取出口３２ａに設けられている。この実施形態の第１送風手段３４ａは、床下空間２側から第１空気流路３１ａ側に送風するファンとして構成されている。なお、第１送風手段３４ａの給気量は、第１送風手段３４ａの給気量と同一範囲に設定されるのが望ましい。
【００５５】
このような第１給気手段２６Ａは、第１送風手段３４ａが運転されることにより、床下空間２を負圧にして、床下空気Ａｆ（即ち、床下空間２に供給された外気Ａｏ）を、第１空気流路３１ａ及び第１吹出口３３ａを介して、第１居住区画３Ａ（この実施形態では、リビング１１ａ）に供給することができる。これにより、第１給気手段２６Ａは、第１居住区画３Ａ内を正圧状態とすることができる。
【００５６】
次に、第１給気手段２６Ａを用いたこの実施形態の換気方法について説明する。図６は、本発明の他の実施形態の換気方法を説明する住宅の断面図である。この実施形態の換気方法では、冬季以外（例えば、夏季）において、第３ステップＳ３と、第４ステップＳ４とが実施される。この実施形態では、第３ステップＳ３及び第４ステップＳ４が同時に実施されているが、別々に実施されてもよい。
【００５７】
図５及び図６に示されるように、第３ステップＳ３では、先ず、第１給気手段２６Ａの第１送風手段３４ａが運転される。これにより、第３ステップＳ３では、第１居住区画３Ａ（この実施形態では、リビング１１ａ及び台所１１ｂ）に、床下空気Ａｆ（即ち、床下空間２に供給された外気Ａｏ）が供給されるため、第１居住区画３Ａを正圧状態にすることができる。また、第１居住区画３Ａ内の空気Ａｒは、第１居住区画３Ａを構成する他の居住区画３（この実施形態では、廊下１１ｃ、洗面室１１ｅ、浴室１１ｆ及びトイレ１１ｇ）や、間仕切り手段２７を介して第２居住区画３Ｂに入り込ませることができる。なお、この実施形態の換気方法では、第２給気手段２６Ｂの第２送風手段３４ｂが停止されている。
【００５８】
第４ステップＳ４では、排気手段２５の開閉手段２５ｂが開かれる。これにより、排気手段２５は、第１居住区画３Ａ（この実施形態では、リビング１１ａ及び台所１１ｂ）の空気Ａｒを、排気手段２５を介して外部に排出することができる。また、第１居住区画３Ａを構成する他の居住区画３（この実施形態では、廊下１１ｃ、洗面室１１ｅ、浴室１１ｆ及びトイレ１１ｇ）に入り込んだ空気Ａｒ、及び、第２居住区画３Ｂに入り込んだ空気Ａｒは、各居住区画３に形成された隙間等（図示省略）を介して、外部に排出される。
【００５９】
このように、この実施形態の住宅Ｂｒ及び換気方法は、居住区画３（この実施形態では、第１居住区画３Ａ）内に外気Ａｏ（床下空気Ａｆ）を強制給気し、かつ、各居住区画３内の空気Ａｒを自然排気する第２種換気として、住宅Ｂｒを効果的に換気することができる。さらに、この実施形態の住宅Ｂｒ及び換気方法は、冬季以外（例えば、夏季）において、第１居住区画３Ａ内を正圧状態にすることが可能になるため、第２居住区画３Ｂの高温の空気Ａｒが、第１居住区画３Ａに供給されるのを効果的に防ぐことができる。従って、この実施形態では、第１居住区画３Ａの冷房効率の低下を効果的に抑制することができる。
【００６０】
しかも、第１居住区画３Ａ内の冷却された空気Ａｒを、間仕切り手段２７を介して、第２居住区画３Ｂに入り込ませることができる。これにより、第２居住区画３Ｂでの屋内熱中症を防ぐことができる。
【００６１】
また、この実施形態の住宅Ｂｒ及び換気方法は、第２居住区画３Ｂの高湿の空気Ａｒが、冷房されている第１居住区画３Ａに流入するのを防ぐことができるため、第１居住区画３Ａで結露が生じるのを防ぐことができる。さらに、この実施形態の第１給気手段２６Ａは、夏季において外気Ａｏよりも低い温度を持つ床下空気Ａｆを、第１居住区画３Ａに供給している。このため、第１給気手段２６Ａは、第１居住区画３Ａの冷房効率を高めることができる。
【００６２】
第１給気手段２６Ａの第１送風手段３４ａ、及び、第２給気手段２６Ｂの第２送風手段３４ｂの運転の切り換えは、居住者によって実施されてもよいが、制御手段等によって自動で行われるのが望ましい。
【００６３】
この実施形態の住宅Ｂｒには、現在が冬季であるか否かを判断する判断部３７、及び、給気手段２６（第１給気手段２６Ａ又は第２給気手段２６Ｂ）を運転する制御部３８が設けられている。図７は、判断部３７及び制御部３８のブロック図である。
【００６４】
判断部３７及び制御部３８は、一つの筐体３９に格納され、例えば、リビング１１ａの間仕切りパネル１６（図５に示す）に固定されている。判断部３７及び制御部３８は、例えば、演算部（ＣＰＵ）、データやプログラム等が記憶される記憶部、及び、作業用メモリを含んで構成され、それぞれ独立して処理することができる。
【００６５】
この実施形態の判断部３７は、予め記憶されている冬季の期間に基づいて、現在が冬季であるか否かを判断している。冬季の期間については、住宅Ｂｒが建てられた地域の気候に応じて、適宜設定されうる。この実施形態の冬季の期間は、例えば、１２月９日〜２月２０日である。
【００６６】
冬季の期間は、筐体３９（図５に示す）に設けられたボタン等によって、適宜変更可能であるのが望ましい。図７に示されるように、判断部３７は、ケーブル４１を介して、制御部３８に接続されている。これにより、判断部３７は、現在が冬季であるか否かの判断結果（信号）を、制御部３８に伝達することができる。
【００６７】
この実施形態の判断部３７は、予め記憶されている冬季の期間（例えば、１２月９日〜２月２０日）に基づいて、現在が冬季であるか否かの判断が実施されるものが示されたが、このような態様に限定されるわけではない。判断部３７は、例えば、外気の温度が予め定められた温度よりも低いか否かで判断してもよい。このような判断部３７は、外気の温度に基づいて、冬季であるか否かを柔軟に判断することができるため、第２居住区画３Ｂの結露を効果的に防ぐことができる。
【００６８】
制御部３８は、判断部３７から伝達された判断結果（信号）に基づいて、第１給気手段２６Ａの第１送風手段３４ａ、及び、第２給気手段２６Ｂの第２送風手段３４ｂの運転を制御する。制御部３８は、ケーブル４２ａを介して、第１給気手段２６Ａの第１送風手段３４ａに接続されている。さらに、制御部３８は、ケーブル４２ｂを介して、第２給気手段２６Ｂの第２送風手段３４ｂに接続されている。
【００６９】
この実施形態の制御部３８は、判断部３７の信号（現在が冬季であると判断した信号）を受け取ることにより、第２送風手段３４ｂに信号を伝達して運転させるとともに、第１送風手段３４ａに信号を伝達して停止させている。制御部３８は、判断部３７の信号（現在が冬季以外であると判断した信号）を受け取ることにより、第１送風手段３４ａに信号を伝達して運転させるとともに、第２送風手段３４ｂに信号を伝達して停止させている。これにより、制御部３８は、第１送風手段３４ａ及び第２送風手段３４ｂの運転又は停止を切り換えることができる。
【００７０】
また、この実施形態の制御部３８は、ケーブル４２ｃを介して、排気手段２５の開閉手段２５ｂに接続されている。開閉手段２５ｂは、制御部３８から伝達される信号によって開閉が制御される。
【００７１】
図８は、本発明のさらに他の実施形態の換気方法の手順の一例を示すフローチャートである。この実施形態の換気方法では、先ず、判断部３７によって、現在が冬季であるか否かが判断される（第５ステップＳ５）。上述したように、判断部３７は、予め記憶されている冬季の期間に基づいて、現在が冬季であるか否かを判断している。判断部３７による判断結果（信号）は、制御部３８に伝達される。
【００７２】
判断部３７によって、現在が冬季であると判断された場合（第５ステップＳ５で「Ｙ」）、前実施形態と同様に、第１ステップＳ１及び第２ステップＳ２が実施される。第１ステップＳ１では、図７に示した制御部３８の信号に基づいて、第２給気手段２６Ｂの第２送風手段３４ｂが運転され、第１給気手段２６Ａの第１送風手段３４ａが停止される。さらに、第１ステップＳ１では、制御部３８に基づいて、排気手段２５の開閉手段２５ｂが開かれる。
【００７３】
これにより、この実施形態の住宅Ｂｒ及び換気方法では、図１及び図４に示されるように、第１居住区画３Ａ及び第２居住区画３Ｂを換気しつつ、冬季において、相対的に高湿となりやすい第１居住区画３Ａの空気Ａｒが、相対的に低温となりやすい第２居住区画３Ｂに供給されるのを防ぐことができる。従って、この実施形態の住宅Ｂｒ及び換気方法は、第１居住区画３Ａの断熱性を高めつつ、第２居住区画３Ｂの結露の発生を防ぐことができる。
【００７４】
他方、判断部３７によって、現在が冬季以外であると判断された場合（第５ステップＳ５で「Ｎ」）、前実施形態と同様に、第３ステップＳ３及び第４ステップＳ４が実施される。第３ステップＳ３では、図７に示した制御部３８の信号に基づいて、第１給気手段２６Ａの第１送風手段３４ａが運転され、第２給気手段２６Ｂの第２送風手段３４ｂが停止される。さらに、第４ステップＳ４では、制御部３８の信号に基づいて、排気手段２５の開閉手段２５ｂが開かれる。
【００７５】
これにより、この実施形態の住宅Ｂｒ及び換気方法では、図５及び図６に示されるように、第１居住区画３Ａ及び第２居住区画３Ｂを換気しつつ、冬季以外（例えば、夏季）において、第２居住区画３Ｂの高温の空気Ａｒが、冷房されている第１居住区画３Ａに流入するのを防ぐことができる。従って、この実施形態の住宅Ｂｒ及び換気方法は、第１居住区画３Ａの冷房効率の低下を防ぎつつ、第２居住区画３Ｂでの屋内熱中症を防ぐことができる。
【００７６】
このように、この実施形態の住宅Ｂｒ及び換気方法では、現在が冬季であるか否かが判断に基づいて、第１給気手段２６Ａ及び第２給気手段２６Ｂの運転が自動的に切り換えられるため、冬季に生じがちな第２居住区画３Ｂの結露の発生、及び、夏季に生じがちな第１居住区画３Ａの冷房効率の低下を確実に防ぐことができる。
【００７７】
次に、図８に示されるように、この実施形態の換気方法では、終了命令の有無が判断される（第６ステップＳ６）。終了命令は、例えば、筐体３９に設けられている操作部（図示省略）を介して、居住者等によって行われる。第６ステップＳ６では、終了命令がある場合（第６ステップＳ６で、「Ｙ」）、この実施形態の一連の処理が終了する。他方、終了命令がない場合（第６ステップＳ６で、「Ｎ」）は、第１ステップＳ１〜第５ステップＳ５が再度実施される。これにより、この実施形態の換気方法は、季節に応じて、住宅Ｂｒを効率よく換気することができる。
【００７８】
これまでの実施形態の第１給気手段２６Ａ及び第２給気手段２６Ｂは、床下空気Ａｆを供給するものが例示されたが、このような態様に限定されるわけではない。例えば、外壁パネル１５に設けられた送風手段（図示省略）により、第１居住区画３Ａ又は第２居住区画３Ｂに、外気Ａｏが直接供給されるものでもよい。このような第１給気手段２６Ａ及び第２給気手段２６Ｂは、それらの構造を簡略化することができるため、リフォームコストを低減することができる。
【００７９】
以上、本発明の特に好ましい実施形態について詳述したが、本発明は図示の実施形態に限定されることなく、種々の態様に変形して実施しうる。
【実施例】
【００８０】
図１及び図２に示す基本構造を有する建物（実施例１、実施例２及び比較例）が、コンピュータで取り扱い可能なモデルとして、コンピュータに入力された。実施例１及び実施例２は、第２居住区画に外気を供給する給気手段と、第１居住区画の空気を排気する排気手段とにより換気が行われた。実施例１は、外気が直接供給された。実施例２は、床下空間の空気が供給された。他方、比較例は、トイレの空気を外部に積極的に排出する排気手段と、第１居住区画に外気を自然給気する給気手段とによって換気が行われた。
【００８１】
そして、実施例１、実施例２及び比較例において、第２居住区画に結露が生じるか否かを計算するシミュレーションが実施された。シミュレーション条件は次のとおりである。
・ソフトウェア：建築環境ソリューションズ社製の「温熱環境シミュレーションプログラム（ＳＭＡＳＨ）」
・気象データ：ＳＭＡＳＨ気象データ（大阪府）
・気象データ：２月３日（平均外気温：０．３℃）
・プラン：居室の床面積：１２３ｍ2
・第１居住区画（リビング）：
・設定温度：２０℃
・相対湿度：４０％ＲＨ
・第２居住区画（和室）
・初期設定温度：５℃
・温度２０℃かつ相対湿度４０％ＲＨの空気の露点温度：６．０℃
・実施例１の給気手段：
・給気量：１５０ｍ3／ｈ
・実施例２の給気手段：
・給気量：１５０ｍ3／ｈ
・床下空間の空気の温度：７℃
・比較例の排気手段：
・排気量：１５０ｍ3／ｈ
【００８２】
テストの結果、比較例では、第１居住区画の高湿な空気が、低温の第２居住区画に流入し、第２居住空間内で結露が発生した。他方、実施例１及び実施例２は、第２居住区画内を正圧にすることできたため、第１居住区画の高湿な空気が、低温の第２居住区画に供給されるのを防ぐことができた。従って、実施例１及び実施例２は、第２居住区画の結露の発生を防ぐことができた。また、実施例２は、第２居住区画に床下空間の空気が供給されたため、外気が直接供給された実施例１よりも＋２℃高めることができた。
【符号の説明】
【００８３】
Ｂｒ    住宅
３Ａ    第１居住区画
３Ｂ    第２居住区画
２１      断熱材
２５      排気手段
２６      給気手段
２７      間仕切り手段
【図１】
0006496190.tif 000002
【図２】
0006496190.tif 000003
【図３】
0006496190.tif 000004
【図４】
0006496190.tif 000005
【図５】
0006496190.tif 000006
【図６】
0006496190.tif 000007
【図７】
0006496190.tif 000008
【図８】
0006496190.tif 000009